(57)【要約】【課題】上餅用の容器と下餅用の容器の双方に対して軟化状態の餅を充填した場合においても、上餅用の容器と下餅用の容器とを容易に係合することのできる鏡餅容器を提供する。【解決手段】上餅と下餅とを重ねた形状に成形される鏡餅容器１であり、底部が開口するとともに下端縁にシート貼付部１２、２２が設けられている上餅容器１０及び下餅容器２０を備えている。上餅容器１０のシート貼付部１２の外周面１２ａには、上段側係合手段が設けられており、下餅容器２０の上面には、上餅容器１０を載置するための載置部が形成されているとともに、前記載置部には下段側係合手段が設けられている。上段側係合手段と下段側係合手段とを係合させることにより、下餅容器２０に対して上餅容器１０を取り付けることが可能である。【選択図】図１
2008264172.tif 000002
【特許請求の範囲】
【請求項１】
上餅と下餅とを重ねた形状に成形される鏡餅容器において、
底部が開口するとともに下端縁にシート貼付部が設けられている上餅容器及び下餅容器を備え、
前記上餅容器の前記シート貼付部の外周面には上段側係合手段が設けられ、
前記下餅容器の上面には前記上餅容器を載置するための載置部が形成されているとともに、前記載置部には下段側係合手段が設けられ、
前記上段側係合手段と前記下段側係合手段とを係合させることにより、前記下餅容器に対して前記上餅容器を取り付け可能であることを特徴とする鏡餅容器。
【請求項２】
前記上段側係合手段は、前記シート貼付部の外周面から突出するように形成され、
前記載置部は、前記上餅容器の底部を収容するように、前記下餅容器の上面から凹むように形成され、前記下段側係合手段は、凹むように形成された前記載置部の側面に溝状に形成されていることを特徴とする請求項１に記載の鏡餅容器。
【請求項３】
前記下餅容器の上面には、前記下段側係合手段を部分的に上方に開放する切欠が形成されていることを特徴とする請求項２に記載の鏡餅容器。
【請求項４】
前記上段側係合手段及び前記下段側係合手段の少なくとも一方は、その幅が前記上餅容器及び前記下餅容器の周方向において変化するようにテーパ状に形成されていることを特徴とする請求項２又は請求項３に記載の鏡餅容器。
【発明の詳細な説明】
【技術分野】
【０００１】
本発明は、鏡餅を模した形状の鏡餅容器に関するものである。
【背景技術】
【０００２】
鏡餅の容器としては、大型の下餅に小型の上餅を重ねた形状に模したものが知られている。この種の容器には、底部等に設けられた開口を介して軟化状態の餅や真空パック詰めの切り餅が充填されているとともに、その開口がフィルム等で封止されている。また、鏡餅容器としては、たとえば、特許文献１に開示されるような上餅用の容器と下餅用の容器とを分離させたものが知られている。この鏡餅容器は、上餅用の容器と下餅用の容器とが一方の容器内に他方の容器の凸部が挿入されることによって互いに係合している。この容器では、上餅用の容器又は下餅用の容器のみに餅等を充填すればよいため、１つの容器として形成された上餅及び下餅容器の一体型のものに比べて、充填される餅等の充填量を低減することができる。
【特許文献１】実開昭５８−９０１８９号公報
【発明の開示】
【発明が解決しようとする課題】
【０００３】
ところで、上記特許文献１の鏡餅容器について、上餅用の容器と下餅用の容器との双方に餅等を充填するには不便であった。一般に、容器に軟化状態の餅を充填する場合には容器の開口いっぱいに充填して開口をフィルムで封止するが、このようにして上餅用の容器に軟化状態の餅を充填して開口を封止した場合、下餅用の容器の凸部が上餅用の容器内に挿入することができなくなる。また、この下餅用の容器の凸部が上餅用の容器内に挿入されることを前提に、上餅用の容器に充填される餅の量を抑制するとともに、下餅用の容器の凸部形状に合わせるようにして上餅用の容器の開口を封止するのは現実的でなく困難を伴う。したがって、コスト上昇、作業効率の低下といった不都合の発生は否めない。
【０００４】
この発明は、こうした従来の実情に鑑みてなされたものであり、その目的は、上餅用の容器と下餅用の容器の双方に対して軟化状態の餅を充填した場合においても、上餅用の容器と下餅用の容器とを容易に係合することのできる鏡餅容器を提供することにある。
【課題を解決するための手段】
【０００５】
上記の目的を達成するために、請求項１の鏡餅容器は、上餅と下餅とを重ねた形状に成形される鏡餅容器において、底部が開口するとともに下端縁にシート貼付部が設けられている上餅容器及び下餅容器を備え、前記上餅容器の前記シート貼付部の外周面には上段側係合手段が設けられ、前記下餅容器の上面には前記上餅容器を載置するための載置部が形成されているとともに、前記載置部には下段側係合手段が設けられ、前記上段側係合手段と前記下段側係合手段とを係合させることにより、前記下餅容器に対して前記上餅容器を取り付け可能であることを特徴とする。
【０００６】
上記構成によれば、上段側係合手段がシート貼付部の外周面に設けられているため、上段側係合手段と下段側係合手段との係合部位が上餅容器の内域に存在することがなくなる。したがって、とくに、上餅容器に対する軟化状態の餅の充填量について、上段側係合手段と下段側係合手段との係合部位が影響を与えることはない。また、シート貼付部に対して平らに広げられたシートを貼り付けることについても、上段側係合手段と下段側係合手段との係合部位が影響を与えることはない。よって、上餅容器と下餅容器の双方に軟化状態の餅を充填した場合においても、下餅容器に対して上餅容器を容易に取り付けることができる。
【０００７】
請求項２の鏡餅容器は、請求項１に記載の発明において、前記上段側係合手段は、前記シート貼付部の外周面から突出するように形成され、前記載置部は、前記上餅容器の底部を収容するように、前記下餅容器の上面から凹むように形成され、前記下段側係合手段は、凹むように形成された前記載置部の側面に溝状に形成されていることを特徴とする。
【０００８】
上記構成によれば、突出形状の上段側係合手段が溝形状の下段側係合手段に係合されるため、それら容器が係合された状態においては、仮に上餅容器のみを持ち上げても、下餅容器が上餅容器から脱落することが抑制される。
【０００９】
請求項３の鏡餅容器は、請求項２に記載の発明において、前記下餅容器の上面には、前記下段側係合手段を部分的に上方に開放する切欠が形成されていることを特徴とする。
上記構成によれば、下餅容器の上面に形成された切欠を介して上段側係合手段を下段側係合手段内に挿入するとともに、この状態から上餅容器を下餅容器に対して回動させることで、両手段が係合関係を築くことができる。また、この係合状態から上餅容器を下餅容器に対して逆方向へ回動させることで、その係合関係を解消することができる。そのため、下餅容器に対する上餅容器の取付け取外しを容易に行なうことが可能である。
【００１０】
請求項４の鏡餅容器は、請求項２又は請求項３に記載の発明において、前記上段側係合手段及び下段側係合手段の少なくとも一方は、その幅が前記上餅容器及び下餅容器の周方向において変化するようにテーパ状に形成されていることを特徴とする。
【００１１】
上記構成によれば、上段側係合手段と下段側係合手段とが係合した状態でさらに、たとえば、上餅容器を下餅容器に対して回動させると、上段側係合手段と下段側係合手段とが密接するようになるため、より一層強固な係合関係を築くことができる。上段側係合手段と下段側係合手段との係合を容易にするためには両者間に相当のクリアランスを設けることが有効であるが、このクリアランスが存在したとしても、上記の回動操作によって上段側係合手段と下段側係合手段との安定的な係合を実現することができる。
【発明の効果】
【００１２】
本願発明によれば、上餅容器と下餅容器の双方に軟化状態の餅を充填した場合においても、上餅容器と下餅容器とを容易に係合することができる。
【発明を実施するための最良の形態】
【００１３】
［実施形態１］
以下、本願発明を具体化した実施形態１の鏡餅容器１を図１〜図３に基づいて説明する。図１は、鏡餅容器１を分解した状態を示している。図１に示すように、鏡餅容器１は、プラスチック等の樹脂材により成形される上餅容器１０と下餅容器２０とから構成されている。上餅容器１０は、扁平な餅形状を成すとともに底部を開口する上容器本体１１と、上容器本体１１の下端縁から水平方向に向かって延出する円環状のシート貼付部１２と、上容器本体１１の頂部に突設される略円柱状の橙取付部１３とから形成されている。また、図２に示すように、上容器本体１１の内側面には、中央から放射状に延びるリブ１４が複数設けられている。
【００１４】
図１に示すように、シート貼付部１２の外周面１２ａには、４つの上面視略半円状の突部１５が等間隔に水平方向に突設されており、実施形態１では、これら突部１５が上段側係合手段として機能する。図３（ａ）に示すように、突部１５は、シート貼付部１２の外周面１２ａの下側に設けられている。また、突部１５の上側面１５ａは、平らに形成されているとともに、下側面１５ｂは、その基端から先端に向かって上方に湾曲した円弧状に形成されている。なお、上容器本体１１、シート貼付部１２、橙取付部１３、リブ１４、及び突部１５は一体に成形されている。
【００１５】
次に、下餅容器２０について説明する。図１に示すように、下餅容器２０は、扁平な餅形状を成すとともに底部を開口する下容器本体２１と、下容器本体２１の下端縁から水平方向に向かって延出する四角枠状のシート貼付部２２とから形成されている。なお、下容器本体２１は、上容器本体１１よりも大きく形成されている。また、図２に示すように、下容器本体２１の内側天井面には、断面半円状のリブ２４が複数平行に設けられている。
【００１６】
図１及び図２に示すように、下容器本体２１の上面には、上餅容器１０を載置するための載置部としての凹部２３が凹設されている。この凹部２３は、上餅容器１０の底部を収容するための、略円柱状の空間が生じるように、下容器本体２１の上面から凹むように形成されている。この凹部２３の側面２３ａには、その上下方向（高さ方向）の下端に溝２５が全周にわたって形成されており、実施形態１では、この溝２５が下段側係合手段として機能する。なお、下容器本体２１、シート貼付部２２、及びリブ２４は一体に成形されている。
【００１７】
次に、下餅容器２０に対して上餅容器１０を取り付ける方法について説明する。まず、上餅容器１０の内部に軟化状態の餅を充填した後に、フィルム状のシート３０によって上餅容器１０の開口を封止する。このとき、シート３０は、上容器本体１１の下端縁に設けられるシート貼付部１２の下面に貼り付けられる。なお、図３に示すように、シート３０は、シート貼付部１２の下面の外径と略同径の円状に形成されており、シート貼付部１２の下面全体に貼り付けられる。また、下餅容器２０においても同様の方法により、軟化状態の餅が充填される。このようにして、軟化状態の餅の充填を行なった後に、下餅容器２０に対する上餅容器１０の取り付けが行なわれる。
【００１８】
図２は、下餅容器２０に対して上餅容器１０を取り付けた状態の鏡餅容器１を示している。ここに示すように、上段側係合手段である突部１５を下段側係合手段である溝２５内に位置させることで両者は係合されて、下餅容器２０に対して上餅容器１０が取り付けられる。具体的には、図３（ａ）に示すように、上餅容器１０を下餅容器２０の凹部２３の上方に位置決めさせた後、上餅容器１０を下方に向かって押し込むことで、図３（ｂ）に示すように、突部１５が溝２５内に進入するとともに、凹部２３内に上餅容器１０が載置される。このとき、突部１５の下側面１５ｂが、その基端から先端に向かって上方に湾曲した円弧状に形成されているため、その円弧面に案内されて突部１５はスムーズに溝２５内に移動する。
【００１９】
実施形態１の鏡餅容器１は、このようにして下餅容器２０に対して上餅容器１０を取り付け、橙取付部１３に橙を取り付けた後、三方、御幣等の飾り体を装着させた状態で使用される。
【００２０】
次に実施形態１における作用効果について、以下に記載する。
（１）実施形態１では、上餅容器１０のシート貼付部１２の外周面１２ａに設けた上段側係合手段としての突部１５と、下餅容器２０の凹部２３の側面２３ａに設けた下段側係合手段としての溝２５とを係合させることにより、下餅容器２０に対する上餅容器１０の取り付けがなされる。そのため、シート貼付部１２の下面に対して貼り付けられたシート３０が突部１５と溝２５との係合関係に影響をされることなく、平らな状態で貼り付けられる。また、その係合関係によって餅の充填量が左右することもない。したがって、上餅容器１０と下餅容器２０の双方に軟化状態の餅を充填した場合においても、下餅容器２０に対して上餅容器１０を容易に取り付けることができる。
【００２１】
（２）実施形態１では、上段側係合手段としての突部１５が、シート貼付部１２の外周面１２ａから水平方向に突出するように設けられているとともに、下段側係合手段としての溝２５が凹部２３の側面２３ａに設けられている。これにより、突部１５と溝２５とが係合した状態においては、突部１５は溝２５内に位置することとなり、仮に上餅容器１０のみを持ち上げても、下餅容器２０が上餅容器１０から脱落することが抑制される。
【００２２】
（３）実施形態１では、上餅容器１０の内側面及び下餅容器２０の内側天井面に、それぞれリブ１４、２４が設けられている。これにより、鏡餅容器１に軟化状態の餅を充填した場合には、上餅容器１０及び下餅容器２０から取り出された餅の表面には、リブ１４、２４に対応した形状の溝が形成される。この溝は、餅を包丁で切る際の誘導線となり、包丁が滑りにくくなる。
【００２３】
（４）実施形態１では、突部１５の下側面１５ｂは、その基端から先端に向かって上方に湾曲した円弧状に形成されている。これにより、下餅容器２０に上餅容器１０を取り付ける際に、突部１５が自身の円弧面に案内されて溝２５内にスムーズに進入する。そのため、下餅容器２０に対して上餅容器１０を容易に取り付けることができる。
［実施形態２］
次に、実施形態２の鏡餅容器２を図４〜図６に基づいて説明する。なお、実施形態１と同一構成の部分は同一の符号を付し、実施形態１と相違する点を中心にして説明する。図４は、鏡餅容器２を分解した状態を示している。図４に示すように、上餅容器１０のシート貼付部１２の外周面１２ａには、３つの上面視略半円状の突部１５が等間隔に水平方向に突設されており、実施形態２では、これら突部１５が上段側係合手段として機能する。この突部１５は、シート貼付部１２の周方向における断面形状が略楕円状となるように形成されている。
【００２４】
図４及び図５に示すように、下餅容器２０の凹部２３の側面２３ａには、その上下方向（高さ方向）の下端に溝２５が３箇所に等間隔に形成されており、実施形態２では、この溝２５が下段側係合手段として機能する。図６に示すように、この溝２５は、下餅容器２０の周方向において、その上下方向（高さ方向）の幅が時計回り方向前方側に向かって狭くなるようなテーパ状に形成されている。なお、溝２５の最も狭い部分の幅は、上餅容器１０に設けられる突部１５の厚みよりも小さくなっているとともに、溝２５の奥行き方向の長さは、突部１５のシート貼付部１２からの突出長さよりも大きくなっている。
【００２５】
また、下餅容器２０の上面には、凹部２３の側面２３ａから下餅容器２０の径方向に形成される略半円状の切欠２６が設けられている。この切欠２６は、溝２５の上方、かつ時計回り方向後方側に設けられており、この切欠２６によって溝２５はその一部が上方に開放された状態となっている。なお、切欠２６は、上餅容器１０に設けられる突部１５よりも大きく形成されており、下餅容器２０に対して上餅容器１０を取り付ける際の突部１５の挿入部分となる。
【００２６】
次に、下餅容器２０に対して上餅容器１０を取り付ける方法について説明する。図５は、下餅容器２０に対して上餅容器１０を取り付けた状態の鏡餅容器２の上面図である。図５の実線部分で示すように、まず、切欠２６に突部１５を合わせるようにして、下餅容器２０の凹部２３内に上餅容器１０を載置する。この状態から、上餅容器１０を下餅容器２０に対して時計回り方向に回動させると、突部１５は溝２５内に進入する（図５の鎖線部分）。このとき、溝２５の幅が突部１５の厚みよりも小さくなる位置まで突部１５が進入すると、突部１５の更なる進入（回動）が制限されるとともに、突部１５と溝２５とが係合して密接する（図６参照）。こうして、下餅容器２０に対して上餅容器１０が固定される。また、この係合状態から上餅容器１０を下餅容器２０に対して反時計回り方向に回動させると、突部１５が切欠２６の下方に位置するとともに、上餅容器１０と下餅容器２０とは非係合状態となり、下餅容器２０から上餅容器１０を取り外すことが可能となる。
【００２７】
実施形態２においても、上記（１）〜（３）の作用効果を得ることができる。また、実施形態２においては、以下のような作用効果が得られる。
（５）実施形態２では、下餅容器２０の上面には、切欠２６が溝２５の上方、かつ時計回り方向後方側に設けられており、この切欠２６によって溝２５はその一部が上方に開放された状態となっている。これにより、切欠２６を介することで突部１５を抵抗なく溝２５内に位置させることができるとともに、この状態から上餅容器１０を下餅容器２０に対して回動させることで、係合状態の構築及び解消を行なうことができる。そのため、下餅容器２０に対する上餅容器１０の取付け取外し作業を容易に行なうことが可能である。
【００２８】
（６）実施形態２では、溝２５は、下餅容器２０の周方向において、その幅が時計回り方向前方側に向かって狭くなるようなテーパ状に形成されているとともに、最も狭い部分の幅は、上餅容器１０に設けられる突部１５の厚みよりも小さくなっている。これにより、突部１５が溝２５内に位置した状態で、上餅容器１０を下餅容器２０に対して時計回りに回動させると突部１５と溝２５とが密接に摺接するようになるため、より一層強固な係合関係を築くことができる。
【００２９】
なお、上記実施形態は、次のように変更して具体化することも可能である。
・  実施形態１では、シート貼付部１２の外周面１２ａに４つの突部１５が等間隔に突設されていたが、突部１５の数は、３つ以下であってもよいし、５つ以上であってもよく、これら突部１５は等間隔に配置されていなくてもよい。また、突部１５をシート貼付部１２の外周面１２ａ全周に設けてもよい。
【００３０】
・  実施形態１では、突部１５は、シート貼付部１２の外周面１２ａに対して水平方向に突設されていたが、突部１５の突出方向は、水平方向に限られるものではなく、たとえば、下方又は上方に向かって傾斜するように突出していてもよい。また、実施形態１では、突部１５は、シート貼付部１２よりも肉厚が薄くなるように形成されるとともに、シート貼付部１２の外周面１２ａの下側に設けられていたが、突部１５をシート貼付部１２と同じ肉厚となるように形成してもよいし、シート貼付部１２の外周面１２ａにおけるどの位置に設けてもよい。
【００３１】
・  実施形態１では、突部１５は、上面視略半円状に形成され、その上側面１５ａは、平らに形成されるとともに、下側面１５ｂは、その基端から先端に向かって上方に湾曲した円弧状に形成されていたが、突部１５の形状はこれに限られるものではない。たとえば、上面視多角形状に形成されていてもよい。また、上側面１５ａ及び下側面１５ｂをともに平らに形成してもよいし、ともに円弧状に形成してもよい。
【００３２】
・  実施形態１では、下段側係合手段としての溝２５が、凹部２３の側面２３ａの全周にわたって形成されていたが、溝２５は、凹部２３の側面２３ａにおいて部分的に形成されていてもよい。また、溝２５をその幅が下餅容器２０の周方向において変化するようなテーパ状に形成してもよい。
【００３３】
・  実施形態２では、シート貼付部１２の外周面１２ａに３つの突部１５が等間隔に突設されていたが、突部１５は、２つ以下であってもよいし、４つ以上であってもよい。また、突部１５は等間隔に配置されていなくてもよい。なお、突部１５をこのように構成した場合には、突部１５の配置状態に合わせて、下段側係合手段としての溝２５を設ける必要がある。
【００３４】
・  実施形態２では、突部１５は、上面視略半円状に形成されるとともに、シート貼付部１２の周方向における断面形状が略楕円状となるように形成されていたが、突部１５の形状はこれに限られるものではない。たとえば、上面視多角形状に形成されていてもよい。また、上餅容器１０の周方向において、突部１５の厚みが時計回り方向の前方側又は後方側へ向かって変化する（たとえば、小さくなる）ようなテーパ状に突部１５を形成してもよい。さらに、突部１５をシート貼付部１２の周方向における断面形状が多角形状となるように形成してもよいが、この場合には、角部分の面取りが成されていると溝２５内での回動が円滑になるため、望ましい。
【００３５】
・  実施形態２では、下餅容器２０の上面には、略半円状の切欠２６が設けられていたが、切欠２６の形状はこれに限られるものではなく、突部１５よりも大きく形成されていればどの様な形状であってもよい。また、切欠２６は、溝２５の上方、かつ時計回り方向後方側に設けられていたが、切欠２６を溝２５の時計回り方向前方側に設けてもよいし、切欠２６を溝２５の中央に設けてもよい。
【００３６】
・  実施形態２では、溝２５をその幅が時計回り方向前方側に向かって狭くなるようなテーパ状に形成していたが、溝２５の形状はこれに限られるものではない。たとえば、時計回り方向後方側に向かってその幅が狭くなるように設けてもよいし、中央部から両端部に向かってその幅が狭くなるように設けてもよい。また、溝２５の幅は一定であってもよい。
【００３７】
・  実施形態２の溝２５の上面及び下面の少なくとも一方に突出部を設け、溝２５の幅を局所的に突部１５の厚みよりも小さくするように構成してもよい。このような突出部は、係合状態から係合状態を解消する方向への上餅容器１０或いは下餅容器２０の回動を抑制して、下餅容器２０に対する上餅容器１０の固定状態が安定する。
【００３８】
・  実施形態１及び実施形態２では、上餅容器１０のシート貼付部１２は、円環状に形成されるとともに、上容器本体１１の下端縁から水平方向に向かって延出するように形成されていたが、シート貼付部１２の形状はこれに限られるものではない。たとえば、上述の上容器本体１１の下端縁からの延出形成を採用せずに、単に、上容器本体１１の下端縁の肉厚を厚くして、その上容器本体１１の底面をシート貼付部１２としてもよい。
【００３９】
・  実施形態１及び実施形態２では、載置部は、下容器本体２１の上面に凹設される凹部２３であったが、載置部の形状はこれに限られるものではない。たとえば、下容器本体２１の上面に突設される突出部であってもよい。このように構成した場合には、上容器本体１１のシート貼付部１２にその外周側から下方に延出するように形成される上段側係合手段を設け、この上段側係合手段と下容器本体２１の突出部の外周とを係合させるようにすればよい。
【００４０】
・  実施形態１及び実施形態２では、上段側係合手段としてシート貼付部１２の外周面１２ａに突部１５を突設するとともに、下段側係合手段として凹部２３の側面２３ａに溝２５を凹設し、水平方向の凹凸関係により上段側係合手段と下段側係合手段とを係合させていたが、上段側係合手段及び下段側係合手段の構成はこれに限られるものではない。
【００４１】
たとえば、シート貼付部１２の外周側から下方に延出されるように形成される上段側係合手段を設けるとともに、凹部２３の底面に上段側係合手段を収容可能な凹部をさらに設け、上下方向の凹凸関係により上段側係合手段と下段側係合手段とを係合させてもよい。また、上段側係合手段としてシート貼付部１２の外周面１２ａに雄ネジ溝を設けるとともに、下段側係合手段として凹部２３の側面２３ａに雌ネジ溝を設け、上段側係合手段の雄ネジ溝と下段側係合手段の雌ネジ溝とを螺合させる構成としてもよい。なお、これら上段側係合手段と下段側係合手段の形状は逆に形成されていてもよい。
【００４２】
また、実施形態１及び実施形態２に設けられる突部１５のように、シート貼付部１２とは別部材として上段側係合手段を設けるのではなく、シート貼付部１２自身が上段側係合手段として機能するような構成であっても、シート貼付部１２の外周面に上段側係合手段が設けられているという構成の一実施形態に含まれる。たとえば、下段側係合手段として、凹部２３の側面２３ａに該凹部２３の内側に向けて凸出する爪部を設け、同爪部とシート貼付部１２とが係合するように構成すると、シート貼付部１２は上段側係合手段として機能することになる。また、このように構成する場合には、爪部を凹部２３の側面２３ａの全周に設けてもよいが、複数の爪部を同側面２３ａに点在するように設けると、より小さな力でシート貼付部１２と爪部との係合関係を構築することができる。
【００４３】
・  実施形態１及び実施形態２では、下餅容器２０の凹部２３の側面２３ａに形成される溝が側面２３ａの上下方向の下端に位置していたが、その下端の位置に限定されることはない。たとえば、側面２３ａの上下方向における中央に位置するように溝２５を配設してもよい。
【００４４】
・  実施形態１及び実施形態２では、シート３０は、シート貼付部１２の下面の外径と略同径の円状に形成されていたが、シート３０の大きさはこれに限られるものではない。たとえば、シート３０は、シート貼付部１２の外径より小さく形成されていてもよいし、同外径よりも大きく形成されていてもよい。また、容器の開口よりも大きく形成されていれば、シート３０の形状はとくに限定されるものではなく、たとえば、多角形状であってもよい。
【００４５】
・  実施形態１及び実施形態２では、上餅容器１０の内側面には、リブ１４が中央から放射状に延びるように複数設けられていたが、このリブ１４の配置構成はこれに限られるものではない。たとえば、複数のリブ１４を平行に配置してもよいし、格子状に配置してもよい。また、このリブ１４は設けなくてもよい。なお、下餅容器２０の内側天井面に設けられているリブ２４についても同様であり、どのような配置構成としてもよいし、リブ２４を設けなくてもよい。
【００４６】
・  実施形態１及び実施形態２では、リブ１４及びリブ２４は、断面半円状に形成されていたが、リブ１４及びリブ２４の形状はこれに限られるものではなく、たとえば、断面多角形状に形成してもよい。
【００４７】
・  実施形態１及び実施形態２では、その内部に軟化状態の餅を充填させて使用する場合について説明したが、容器内に真空パック詰めの切り餅やご祈祷米など他のお供えを収容させて使用してもよいことは言うまでもない。
【００４８】
次に、上記実施形態及び別例から把握できる技術的思想について記載する。
○  前記上段側係合手段及び前記下段側係合手段は、前記上餅容器を前記下餅容器に対して回動させることで係脱可能に形成されていることを特徴とする鏡餅容器。
【００４９】
○  前記上段側係合手段又は前記下段側係合手段の少なくとも一方には、前記下餅容器に対する前記上餅容器の回動を制限する回動制限手段が設けられていることを特徴とする鏡餅容器。
【図面の簡単な説明】
【００５０】
【図１】実施形態１の鏡餅容器の分解状態を示す斜視図。
【図２】実施形態１の鏡餅容器を組み合わせた状態を示す半断面図。
【図３】（ａ）、（ｂ）は、実施形態１の上段側係合手段と下段側係合手段との係合状態を示す断面図。
【図４】実施形態２の鏡餅容器の分解状態を示す斜視図。
【図５】実施形態２の鏡餅容器を組み合わせた状態を示す上面図。
【図６】実施形態２の上段側係合手段と下段側係合手段との係合状態を示す断面図。
【符号の説明】
【００５１】
１，２…鏡餅容器、１０…上餅容器、１２，２２…シート貼付部、１２ａ…外周面、１５…上段側係合手段としての突部、２０…下餅容器、２３…凹部、２３ａ…側面、２５…下段側係合手段としての溝、２６…切欠。
【図１】
2008264172.tif 000003
【図２】
2008264172.tif 000004
【図３】
2008264172.tif 000005
【図４】
2008264172.tif 000006
【図５】
2008264172.tif 000007
【図６】
2008264172.tif 000008